【事件の表示】
　特願２０１４−　４１９８６「表示装置及びその駆動方法」拒絶査定不服審判事件〔平成２７年　２月　２日出願公開、特開２０１５−　２２３０５〕について、次のとおり審決する。
【結　論】
　本件審判の請求は、成り立たない。
【理　由】
第１  手続の経緯
　この審判事件に関する出願（以下、「本件出願」という。）は、平成２５年　７月１８日（以下、「優先日」という。）に大韓民国でされた特許出願に基づくパリ条約の優先権を主張して平成２６年　３月　４日にされた特許出願である。
　本件出願については、平成２９年１１月２８日付けで拒絶理由が通知され、翌平成３０年　３月　７日に意見書が提出されるとともに特許請求の範囲についての補正がなされたが、同年　７月３１日付けで拒絶査定（以下、「原査定」という。）がなされ、査定の謄本が同年　８月　７日に送達された。
　これに対し、平成３０年１２月　７日に拒絶査定不服審判が請求され、同時に特許請求の範囲についての補正（以下、「本件補正」という。）がされた。 
　なお、本件出願の請求項の数は、本件補正前（すなわち、原査定時）は１５であり、本件補正後は１０である。 
第２  本件補正の却下の決定
［補正の却下の決定の結論］
　本件補正を却下する。
［理由］
１  本件補正の内容
　本件補正は、特許請求の範囲の請求項１及び請求項６についての補正を含む。
　本件補正前及び本件補正後の請求項１及び請求項６の記載は、以下のとおりである。なお、下線は補正箇所を示すために合議体が付したものである。
（１）  本件補正前
「【請求項１】
　複数の画素を含む表示板と、
　前記表示板の複数のデータ線にデータ電圧を伝達するデータ駆動部と、
　前記表示板の複数のゲート線にゲート信号を伝達するゲート駆動部と、
　前記データ駆動部及び前記ゲート駆動部を制御する信号制御部と、
　を含み、
　前記信号制御部は、前記表示板の互いに異なる位置にそれぞれ対応する複数のルックアップテーブルを含み、
　前記ルックアップテーブルは、第１画素に対する第１入力画像信号の補正値を保存し、前記補正値は、前記第１入力画像信号及び第２入力画像信号に依存する値であり、
　前記第２入力画像信号は、前記第１画素が接続されている第１データ線のデータ電圧によって前記第１画素の充電前に充電される第２画素に対する入力画像信号であり、
　前記信号制御部は、前記補正値を利用して前記第１入力画像信号を補償し、
　前記複数の画素は、複数の画素行をそれぞれ含む複数の画素行グループに分かれ、
　前記複数の画素行グループと同一の数の連続したフレームを含む１フレームセットの間に前記表示板は一つの静止画を表示し、
　前記複数の画素行グループは、それぞれ前記フレームセットの対応する互いに異なる１フレームの間に前記データ電圧で充電され、
　前記静止画を表示する際に前記複数の画素を充電する第２充電時間は、動画を表示する際に前記複数の画素を充電する第１充電時間よりも長い、表示装置。」
「【請求項６】
　複数の画素を含む表示板と、
　前記表示板の複数のデータ線にデータ電圧を伝達するデータ駆動部と、
　前記表示板の複数のゲート線にゲート信号を伝達するゲート駆動部と、
　前記データ駆動部及び前記ゲート駆動部を制御する信号制御部と、
　を含み、
　前記信号制御部は、前記表示板の位置に依存する補正倍率を保存するルックアップテーブルを含み、
　前記データ駆動部は、前記信号制御部から出力画像信号、及び前記出力画像信号に対応する第１補正倍率を受信し、前記第１補正倍率を利用して前記出力画像信号を補償して、補償された出力画像信号を生成し、
　前記複数の画素は、複数の画素行をそれぞれ含む複数の画素行グループに分かれ、
　前記複数の画素行グループと同一の数の連続したフレームを含む１フレームセットの間に前記表示板は一つの静止画を表示し、
　前記複数の画素行グループは、それぞれ前記フレームセットの対応する互いに異なる１フレームの間に前記データ電圧で充電され、
　前記静止画を表示する際に前記複数の画素を充電する第２充電時間は、動画を表示する際に前記複数の画素を充電する第１充電時間よりも長い、表示装置。」
（２）  本件補正後
「【請求項１】
　複数の画素を含む表示板と、
　前記表示板の複数のデータ線にデータ電圧を伝達するデータ駆動部と、
　前記表示板の複数のゲート線にゲート信号を伝達するゲート駆動部と、
　前記データ駆動部及び前記ゲート駆動部を制御する信号制御部と、
　を含み、
　前記信号制御部は、前記表示板の互いに異なる
領域
前記互いに異なる領域は互いに異なる画素行に対応し、
　前記ルックアップテーブルは、第１画素に対する第１入力画像信号の補正値を保存し、前記補正値は、前記第１入力画像信号及び第２入力画像信号に依存する値であり、
　前記第２入力画像信号は、前記第１画素が接続されている第１データ線のデータ電圧によって前記第１画素の充電前に充電される第２画素に対する入力画像信号であり、
　前記信号制御部は、前記補正値を利用して前記第１入力画像信号を補償し、
　前記複数の画素は、複数の画素行をそれぞれ含む複数の画素行グループに分かれ、
　前記複数の画素行グループと同一の数の連続したフレームを含む１フレームセットの間に前記表示板は一つの静止画を表示し、
　前記複数の画素行グループは、それぞれ前記フレームセットの対応する互いに異なる１フレームの間に前記データ電圧で充電され、
　前記静止画を表示する際に前記複数の画素を充電する第２充電時間は、動画を表示する際に前記複数の画素を充電する第１充電時間よりも長い、表示装置。」
「【請求項６】
　複数の画素を含む表示板と、
　前記表示板の複数のデータ線にデータ電圧を伝達するデータ駆動部と、
　前記表示板の複数のゲート線にゲート信号を伝達するゲート駆動部と、
　前記データ駆動部及び前記ゲート駆動部を制御する信号制御部と、
　を含み、
　前記信号制御部は、前記表示板の位置に依存する補正倍率を保存する
複数の
　
前記複数のルックアップテーブルは、互いに異なる画素行にそれぞれ対応し、
　前記データ駆動部は、前記信号制御部から出力画像信号、及び前記出力画像信号に対応する第１補正倍率を受信し、前記第１補正倍率を利用して前記出力画像信号を補償して、補償された出力画像信号を生成し、
　前記複数の画素は、複数の画素行をそれぞれ含む複数の画素行グループに分かれ、
　前記複数の画素行グループと同一の数の連続したフレームを含む１フレームセットの間に前記表示板は一つの静止画を表示し、
　前記複数の画素行グループは、それぞれ前記フレームセットの対応する互いに異なる１フレームの間に前記データ電圧で充電され、
　前記静止画を表示する際に前記複数の画素を充電する第２充電時間は、動画を表示する際に前記複数の画素を充電する第１充電時間よりも長い、表示装置。」
２  本件補正の適否
　本件補正のうち、請求項１についての補正は、「信号制御部」に含まれる「複数のルックアップテーブル」が、「表示板の互いに異なる位置にそれぞれ対応する」とされていたところ、これを、「表示板の互いに異なる領域にそれぞれ対応する」とし、この「互いに異なる領域」が「互いに異なる画素行に対応」するものであると限定したものであって、補正前の請求項１に記載された発明と補正後の請求項１に記載される発明の産業上の利用分野及び解決しようとする課題が同一であるから、この補正は、特許法第１７条の２第５項第２号の特許請求の範囲の減縮を目的とするものに該当する。
　また、請求項６についての補正は、「信号制御部」が「ルックアップテーブル」を含むとされていたところ、これを、「信号制御部」が「複数のルックアップテーブル」を含むとし、更に、この「複数のルックアップテーブル」が「互いに異なる画素行にそれぞれ対応」するものであると限定したものであって、補正前の請求項６に記載された発明と補正後の請求項６に記載される発明の産業上の利用分野及び解決しようとする課題が同一であるから、この補正は、特許法第１７条の２第５項第２号の特許請求の範囲の減縮を目的とするものに該当する。
　そこで、本件補正後の請求項１に係る発明（以下、「本件補正発明１」という。）及び請求項６に係る発明（以下、「本件補正発明６」という。）が同条第６項において準用する同法第１２６条第７項の規定に適合するか（特許出願の際独立して特許を受けることができるものであるか）について、以下で検討する。
（１）  本件補正発明１及び本件補正発明６
　本件補正発明１及び本件補正発明６は、上記１（２）に記載した請求項１及び請求項６に記載された事項により特定されるとおりのものである。
（２）  引用文献に記載された発明等
ア  引用文献１
　原査定の拒絶の理由に引用された国際公開第２００９／０６０６５６号（以下、「引用文献１」という。）には、以下の記載がある。なお、下線は合議体が付したものである。
　
（ア）  段落００４２から段落００４３まで
「［００４２］　（液晶表示装置全体の構成）
　図１は、本実施形態に係る液晶表示装置１の概略構成を示すブロック図である。この
液晶表示装置１は、データ信号線駆動回路としてのソースドライバ３と、走査信号線駆動回路としてのゲートドライバ４と、アクティブマトリクス形の液晶駆動パネル２４と、面状照明装置としてのバックライト２５と、そのバックライト２５を駆動する光源駆動回路７００と、ソースドライバ３、ゲートドライバ４および光源駆動回路７００を制御するための表示制御回路２と、表示制御回路２から出力される画像信号ＤＡＴＡを補正する補正回路（データ処理装置）１０とを備えている
［００４３］　上記液晶表示装置における
液晶駆動パネル２４は、複数本（ｑ本）の走査信号線としてのゲートラインＧＬ１〜ＧＬｑと、それらのゲートラインＧＬ１〜ＧＬｑのそれぞれと交差する複数本（ｐ本）のデータ信号線としてのソースラインＳＬ１〜ＳＬｐと、それらのゲートラインＧＬ１〜ＧＬｑとソースラインＳＬ１〜ＳＬｐとの交差点にそれぞれ対応して設けられた複数個（ｐ×ｑ個）の画素形成部とを含む
これらの画素形成部はマトリクス状に配置されて画素アレイを構成する
【図１】
（イ）  段落００４９から段落００５７まで
「［００４９］　表示制御回路２は、外部の信号源から、表示すべき画像を表すデジタルビデオ信号Ｄｖと、当該デジタルビデオ信号Ｄｖに対応する水平同期信号ＨＳＹおよび垂直同期信号ＶＳＹと、表示動作を制御するための制御信号Ｄｃとを受け取る。また、
表示制御回路２は、
画像を液晶駆動パネル２４に表示させるための信号として、データスタートパルス信号ＳＳＰと、データクロック信号ＳＣＫと、ラッチストローブ信号（データ信号印加制御信号）ＬＳと、極性反転信号ＰＯＬと、表示すべき画像を表す画像信号ＤＡＴＡ（ビデオ信号Ｄｖに相当する信号）と、ゲートスタートパルス信号ＧＳＰと、ゲートクロック信号ＧＣＫと、ゲートドライバ出力制御信号（走査信号出力制御信号）ＧＯＥとを生成し出力する
［００５０］　上記のようにして表示制御回路２において生成された信号のうち、ラッチストローブ信号ＬＳとデータスタートパルス信号ＳＳＰとデータクロック信号ＳＣＫと極性反転信号ＰＯＬとは、ソースドライバ３に入力され、ゲートスタートパルス信号ＧＳＰとゲートクロック信号ＧＣＫとゲートドライバ出力制御信号ＧＯＥとは、ゲートドライバ４に入力される。また、画像信号ＤＡＴＡは補正回路１０に入力される。
［００５１］　
補正回路１０は、表示制御回路２から出力された画像信号ＤＡＴＡに対して補正を行い、補正画像信号ＤＡＴＡ’をソースドライバ３に対して出力する
［００５２］　
ソースドライバ３は、補正画像信号ＤＡＴＡ’とデータスタートパルス信号ＳＳＰおよびデータクロック信号ＳＣＫとラッチストローブ信号ＬＳと極性反転信号ＰＯＬとに基づき、補正画像信号ＤＡＴＡ’の表す画像の各水平走査線における画素値に相当するアナログ電圧としてデータ信号Ｓ（１）〜Ｓ（ｐ）を１水平期間毎に順次生成し、これらのデータ信号Ｓ（１）〜Ｓ（ｐ）をソースラインＳＬ１〜ＳＬｎにそれぞれ印加する
［００５３］　
ゲートドライバ４は、ゲートスタートパルス信号ＧＳＰ（ＧＳＰａ、ＧＳＰｂ）およびゲートクロック信号ＧＣＫ（ＧＣＫａ、ＧＣＫｂ）と、ゲートドライバ出力制御信号ＧＯＥ（ＧＯＥａ、ＧＯＥｂ）とに基づき、走査信号Ｇ（１）〜Ｇ（ｑ）を生成し、これらをゲートラインＧＬ１〜ＧＬｑにそれぞれ印加することにより当該ゲートラインＧＬ１〜ＧＬｑを選択的に駆動する
［００５４］　上記のようにソースドライバ３およびゲートドライバ４により液晶駆動パネル２４のソースラインＳＬ１〜ＳＬｐおよびゲートラインＧＬ１〜ＧＬｑが駆動されることで、選択されたゲートラインＧＬｊに接続されたＴＦＴ１００を介して画素容量ＣｐにソースラインＳＬｉの電圧が与えられる（ｉ＝１〜ｐ，ｊ＝１〜ｑ）。これにより各画素形成部において液晶層に補正画像信号ＤＡＴＡ’に応じた電圧が印加され、その電圧印加によってバックライト２５からの光の透過量が制御されることで、外部からのデジタルビデオ信号Ｄｖの示す画像が液晶駆動パネル２４に表示される。
［００５５］　
表示方式としては
［００５６］　また、飛び越し走査方式は、ゲートラインＧＬ１〜ＧＬｑが所定の水平走査ライン間隔で同じグループとなるように複数のグループに分かれており、各グループに対する走査が順次行われる方式である。
ゲートラインＧＬ１〜ＧＬｑが１水平走査ライン間隔で同じグループとなるように２つのグループに分かれている場合、１フレーム期間に、奇数または偶数番目のゲートラインＧＬ１〜ＧＬｑを最上部から最下部にかけて順に選択した後に、偶数または奇数番目のゲートラインＧＬ１〜ＧＬｑを最上部から最下部にかけて順に選択することになる
［００５７］　本発明は、順次走査方式および飛び越し走査方式のどちらにおいても適用可能であるが、以下に示す実施例では、まず、
１水平走査ライン間隔の飛び越し走査方式を採用した
（ウ）  段落００５８から段落００６３まで
「［００５８］　（補正回路の構成）
　次に、補正回路１０の構成について図２を参照しながら以下に説明する。同図に示すように、
補正回路１０は、バッファ１１、ＬＵＴ（ルックアップテーブル）（補正量記憶部）１２、補間演算部（補正処理部）１３、補正量格納部１４、および加算器１５を備えた
［００５９］　バッファ１１は、少なくとも２つの水平走査ライン分の画像信号ＤＡＴＡを一時的に記憶する記憶手段である。上記の飛び越し走査方式の場合、画像信号ＤＡＴＡは、奇数または偶数番目の水平走査ラインのデータが連続した後に、偶数または奇数番目の水平走査ラインのデータが連続したデータとなる。この場合、
バッファ１１に対して、ｎ番目の水平走査ラインに対応するデータ（ｄａｔａ［ｎ］）と、ｎ＋２番目の水平走査ラインに対応するデータ（ｄａｔａ［ｎ＋２］）とが連続して入力され、これらが順に記憶される
［００６０］　
補間演算部１３は
特定のデータ信号線に対応するｄａｔａ［ｎ］における画素データとｄａｔａ［ｎ＋２］における画素データとをバッファ１１から読み出し、ＬＵＴ１２を参照して補間演算を行うことによって、ｄａｔａ［ｎ＋２］における該当画素データに対する補正量を算出する
［００６１］　ＬＵＴ１２は、バッファ１１に格納されている２つの水平走査ラインに対応するデータと、補正量との関係を格納する手段である。具体的には、
ＬＵＴ１２は、参照すべきデータとしてのｄａｔａ［ｎ］のデータの値と、補正対象のデータとしてのｄａｔａ［ｎ＋２］のデータの値との組み合わせに対応した補正量を格納する２次元メモリによって構成される
［００６２］　
補正量格納部１４は、補間演算部１３によって算出された補正量を一時的に記憶する
加算器１５は、
補正量格納部１４から補正量を読み出す
また、
バッファ１１から、該補正量の算出に用いられたｄａｔａ［ｎ＋２］における画素データを読み出す
そして、
読み出した画素データに対して、読み出した補正量を加算し、これを出力する
これを各画素に対して順に実行することによって、補正画像信号ＤＡＴＡ’が補正回路１０から出力される
［００６３］　（ＬＵＴの構成）
　ここで、ＬＵＴ１２のメモリ構成の一例について、図３を参照しながら説明する。同図に示す例では、画素データの階調が１０２４（１０ｂｉｔ）である場合のｄａｔａ［ｎ］のデータの代表階調値とｄａｔａ［ｎ＋２］のデータの代表階調値との組み合わせに対応した補正量を格納するメモリ構成となっている。また、ｄａｔａ［ｎ］のデータの代表階調値、および、ｄａｔａ［ｎ＋２］のデータの代表階調値は、６４階調ごとに設定されている。すなわち、１０２４階調のうち、６４階調ごとにピックアップされた１７個の代表階調値が、参照すべきデータおよび補正対象のデータのそれぞれに対して設定されており、これらの全ての組み合わせに対応して補正量が格納されている。」
【図２】
【図３】
（エ）  段落００６８
「［００６８］　また、
ＬＵＴ１２を、補正対象となる画素の表示画面内での位置に応じて複数設けておき、補間演算部１３が、補正対象となる画素の表示画面内での位置に応じて用いるＬＵＴ１２を切り替えるようになっていて
表示画面内での位置の変化に伴う液晶駆動状態の変化に対応した補正を行うことが可能となり、表示画面内の全ての場所において最適な表示を行うことが可能となる
（オ）  段落００８７から段落００８９まで
「［００８７］　（駆動例）
　次に、実際に表示が行われる場合の駆動例について、図６に示すタイミングチャートを参照しながら説明する。同図に示すタイミングチャートでは、特定のデータ信号線に関して、画像信号ＤＡＴＡにおける各ｄａｔａ［ｉ］の表示タイミング、データ信号線に印加される信号の電位を示すソース電圧、ｉ番目の水平走査ラインに印加されるゲート信号の電位を示すゲート電圧［ｉ］、および、ｉ番目の水平走査ラインに接続されている画素電極の電位を示す電極電圧［ｉ］が示されている。
［００８８］　同図に示すように、ゲート電圧［ｉ］において、ｄａｔａ［ｉ］が表示されるべき水平走査期間の開始タイミングよりも前となるタイミングからゲートオンパルスが立ち上がっている。すなわち、
ゲートオンパルスには、プレ充電期間と本充電期間とが含まれていることになる
このように、実際の水平走査期間よりも前から
ゲートがアクティブになることによって、画素電極に対する充電期間が長くなる
水平走査期間を短く設定する必要が生じた場合においても、プレ充電期間において画素電極に対して予め充電を行っておくことによって、本充電期間で所望の電位まで画素電極を確実に充電することが可能となっている
［００８９］　また、画像信号ＤＡＴＡは、飛び越し走査方式によって１水平走査ラインおきのデータとして入力されている。すなわち、画像信号ＤＡＴＡとしては、ｄａｔａ［ｎ−２］、ｄａｔａ［ｎ］、ｄａｔａ［ｎ＋２］、…、ｄａｔａ［ｎ−１］、ｄａｔａ［ｎ＋１］、…の順で順次表示制御回路２からデータが出力されている。」
【図６】
（カ）  段落０１３０
「産業上の利用可能性
［０１３０］　本発明に係る
液晶表示装置は、例えばパーソナルコンピュータのモニターやテレビジョン受像機など、各種の表示装置に適用できる
　上記（ア）ないし（カ）の記載によれば、引用文献１には、以下の発明（以下、「引用発明１」という。）が記載されていると認められる。
　
「　例えばパーソナルコンピュータのモニターやテレビジョン受像機など、各種の表示装置に適用できる液晶表示装置１であって、
　データ信号線駆動回路としてのソースドライバ３と、走査信号線駆動回路としてのゲートドライバ４と、アクティブマトリクス形の液晶駆動パネル２４と、面状照明装置としてのバックライト２５と、そのバックライト２５を駆動する光源駆動回路７００と、ソースドライバ３、ゲートドライバ４および光源駆動回路７００を制御するための表示制御回路２と、表示制御回路２から出力される画像信号ＤＡＴＡを補正する補正回路（データ処理装置）１０とを備え、
　液晶駆動パネル２４は、複数本（ｑ本）の走査信号線としてのゲートラインＧＬ１〜ＧＬｑと、それらのゲートラインＧＬ１〜ＧＬｑのそれぞれと交差する複数本（ｐ本）のデータ信号線としてのソースラインＳＬ１〜ＳＬｐと、それらのゲートラインＧＬ１〜ＧＬｑとソースラインＳＬ１〜ＳＬｐとの交差点にそれぞれ対応して設けられた複数個（ｐ×ｑ個）の画素形成部とを含み、これらの画素形成部はマトリクス状に配置されて画素アレイを構成し、
　表示制御回路２は、画像を液晶駆動パネル２４に表示させるための信号として、データスタートパルス信号ＳＳＰと、データクロック信号ＳＣＫと、ラッチストローブ信号（データ信号印加制御信号）ＬＳと、極性反転信号ＰＯＬと、表示すべき画像を表す画像信号ＤＡＴＡ（ビデオ信号Ｄｖに相当する信号）と、ゲートスタートパルス信号ＧＳＰと、ゲートクロック信号ＧＣＫと、ゲートドライバ出力制御信号（走査信号出力制御信号）ＧＯＥとを生成し出力し、
　補正回路１０は、表示制御回路２から出力された画像信号ＤＡＴＡに対して補正を行い、補正画像信号ＤＡＴＡ’をソースドライバ３に対して出力し、
　ソースドライバ３は、補正画像信号ＤＡＴＡ’とデータスタートパルス信号ＳＳＰおよびデータクロック信号ＳＣＫとラッチストローブ信号ＬＳと極性反転信号ＰＯＬとに基づき、補正画像信号ＤＡＴＡ’の表す画像の各水平走査線における画素値に相当するアナログ電圧としてデータ信号Ｓ（１）〜Ｓ（ｐ）を１水平期間毎に順次生成し、これらのデータ信号Ｓ（１）〜Ｓ（ｐ）をソースラインＳＬ１〜ＳＬｎにそれぞれ印加し、
　ゲートドライバ４は、ゲートスタートパルス信号ＧＳＰ（ＧＳＰａ、ＧＳＰｂ）およびゲートクロック信号ＧＣＫ（ＧＣＫａ、ＧＣＫｂ）と、ゲートドライバ出力制御信号ＧＯＥ（ＧＯＥａ、ＧＯＥｂ）とに基づき、走査信号Ｇ（１）〜Ｇ（ｑ）を生成し、これらをゲートラインＧＬ１〜ＧＬｑにそれぞれ印加することにより当該ゲートラインＧＬ１〜ＧＬｑを選択的に駆動し、
　表示方式としては１水平走査ライン間隔の飛び越し走査方式を採用し、この場合、ゲートラインＧＬ１〜ＧＬｑが１水平走査ライン間隔で同じグループとなるように２つのグループに分かれ、１フレーム期間に、奇数または偶数番目のゲートラインＧＬ１〜ＧＬｑを最上部から最下部にかけて順に選択した後に、偶数または奇数番目のゲートラインＧＬ１〜ＧＬｑを最上部から最下部にかけて順に選択することになり、
　補正回路１０は、バッファ１１、ＬＵＴ（ルックアップテーブル）（補正量記憶部）１２、補間演算部（補正処理部）１３、補正量格納部１４、および加算器１５を備え、
　バッファ１１には、ｎ番目の水平走査ラインに対応するデータ（ｄａｔａ［ｎ］）と、ｎ＋２番目の水平走査ラインに対応するデータ（ｄａｔａ［ｎ＋２］）とが連続して入力され、これらが順に記憶され、
　補間演算部１３は、特定のデータ信号線に対応するｄａｔａ［ｎ］における画素データとｄａｔａ［ｎ＋２］における画素データとをバッファ１１から読み出し、ＬＵＴ１２を参照して補間演算を行うことによって、ｄａｔａ［ｎ＋２］における該当画素データに対する補正量を算出し、
　ＬＵＴ１２は、参照すべきデータとしてのｄａｔａ［ｎ］のデータの値と、補正対象のデータとしてのｄａｔａ［ｎ＋２］のデータの値との組み合わせに対応した補正量を格納する２次元メモリによって構成され、
　補正量格納部１４は、補間演算部１３によって算出された補正量を一時的に記憶し、
　加算器１５は、補正量格納部１４から補正量を読み出し、また、バッファ１１から該補正量の算出に用いられたｄａｔａ［ｎ＋２］における画素データを読み出し、そして、読み出した画素データに対して、読み出した補正量を加算し、これを出力し、これが各画素に対して順に実行されることによって、補正画像信号ＤＡＴＡ’が補正回路１０から出力されることとなり、
　ＬＵＴ１２は、補正対象となる画素の表示画面内での位置に応じて複数設けられ、補間演算部１３が、補正対象となる画素の表示画面内での位置に応じて用いるＬＵＴ１２を切り替えるようになっており、これによって、表示画面内での位置の変化に伴う液晶駆動状態の変化に対応した補正を行うことが可能となり、表示画面内の全ての場所において最適な表示を行うことが可能となり、
　ゲートオンパルスには、プレ充電期間と本充電期間とが含まれ、このように、実際の水平走査期間よりも前からゲートがアクティブになることによって画素電極に対する充電期間が長くなり、水平走査期間を短く設定する必要が生じた場合においても、プレ充電期間において画素電極に対して予め充電を行っておくことによって、本充電期間で所望の電位まで画素電極を確実に充電することができる
液晶表示装置１。」
イ  引用文献５
　原査定の拒絶の理由に引用された特開２００６−６４９６４号公報（以下、「引用文献５」という。）には、以下の記載がある。なお、下線は合議体が付したものである。
　
（ア）  段落０００４から段落０００７まで
「【０００４】
　従来、
特にノートパソコンにおける平面表示装置
【０００５】
　上記の問題点に対して、それぞれ独立して表示を行う第１の表示領域と第２の表示領域とを有する表示部において、少なくとも第１の表示領域をインタレース走査する表示装置が提案されている。（特許文献１参照）
　一方、通常オフィス内では、平面表示装置をワープロ処理や図面設計等に使用することが多く、これらの場合には静止画を表示させている事が多い。しかし、近年はテレビや映画等の動画を表示する機会が増えている。動画表示のように高速応答が要求される場合に、複数のフレームから表示画像を構成するインタレース走査を行うと、画像ボケが強調され易いと言う問題点があった。
【特許文献１】特開２００１−２８２２０４号公報
【発明の開示】
【発明が解決しようとする課題】
【０００６】
　しかし上記のような表示装置では、動画を表示させた際にインタレース走査を行い画質の低下を招いたり、静止画を表示させた際にノンインタレース走査を行い、消費電力量が大きくなったりする場合がある。
【０００７】
　本発明は、上記のような問題点を鑑みて成されたもので、その目的は、画質を低下させることなく、低消費電力化を実現する
平面表示装置
（イ）  段落００１１から段落００１７まで
「【００１１】
　以下、本発明の一実施の形態に係る平面表示装置について図面を参照して説明する。図１は、本発明に係る平面表示装置の概略構成を示す図である。
【００１２】
　
平面表示装置１００は、表示部１１０にマトリクス状に配置された複数の画素ＰＸを備えている
画素ＰＸの列毎に信号線ＤＬ１〜ＤＬｖが設けられ、各列の画素群にそれぞれ画像信号を供給している
全ての信号線ＤＬ１〜ＤＬｖは信号線駆動回路１２に接続されている
画素ＰＸの行毎に走査線ＳＬ１〜ＳＬｈが設けられ、行単位の画素群をそれぞれ電気的にオン/オフしている
全ての走査線ＳＬ１〜ＳＬｈは、走査線駆動回路１４に接続されている
信号線駆動回路１２と走査線駆動回路１４とは、コントローラ１６によって制御されている
【００１３】
　
コントローラ１６は、情報処理装置２００の表示画像制御部２２から表示画像データSi1およびインタレース走査ＯＮ/ＯＦＦ信号Si２を受信し、インタレース/ノンインタレース切替え手段としてのインタレース/ノンインタレース切替え部１６aでインタレース/ノンインタレース走査を切替えている
【００１４】
　図２に、表示画像制御部２２を詳細に示す。
表示画像制御部２２では、表示画像データSiが動画か静止画かを判定し、その判定結果にしたがって、表示画像データSi１およびインタレース走査ＯＮ/ＯＦＦ信号Si２をコントローラ１６に送信している
【００１５】
　表示画像制御部２２に入力された表示画像データSiは、フレームデータ遅延部２２aと差分回路２２bに入力される。差分回路２２bでは、入力された表示画像データSiと、フレームメモリ２２cに保存された１フレーム前の表示画像データとの差分をとり、その結果を出力する。表示画像データの差分をとる際は、画面全体に亘って画素毎に差分をとってもよく、また図３に示すように表示画面を分割し、ある特定の領域（ａ×ｂの領域（１−Ａ、１−Ｂ、１−Ｃ、・・・）の１領域乃至複数領域）についてのみ差分をとってもよい。この場合には、差分回路２２ｂで各画素の差分を算出してから、その画素が含まれる前記特定領域の画素の差分の総和を算出し、その結果を動画/静止画判定部２２dに送信する。
【００１６】
　差分回路２２bから出力された結果は、動画/静止画判定部２２dに入力される。動画/静止画判定部２２dでは、入力された信号が所定の値を越えていれば、表示画像が動画であると判断する。入力された信号が所定の値以下であれば、表示画像が静止画であると判断する。上記のように判断された判断結果にしたがって、動画/静止画判定部２２dがインタレース走査ＯＮ/ＯＦＦ信号Si２をコントローラ１６に送信する。例えば、
表示画像が静止画の場合には、インタレース走査をＯＮとするハイ（Ｈ）レベルの信号が送信される
表示画像が動画の場合には、インタレース走査をＯＦＦとするロー（Ｌ）レベルの信号が送信される
【００１７】
　また、動画/静止画判定部２２dは、表示ライン選択部２２eにも、上記の判定結果を送信する。表示ライン選択部２２eでは、判定結果にしたがって、フレームデータ遅延部２２aから受信した表示画像データSiの中から、表示されるラインの表示画像データSi1を選択してコントローラ１６に送信する。」
【図１】
【図２】
（ウ）  段落００１９から段落００２１まで
「【００１９】
　図５に、ノンインタレース走査を行った場合の、各走査線ＳＬ１〜ＳＬｈに送信されるパルスのタイミングチャートを示す。
ノンインタレース走査の場合は、各フレーム期間に１ライン目から順にhラインまで連続して走査線ＳＬ１〜ＳＬｈにパルスが送信され、１フレームで１画像を構成している
【００２０】
　次に、
インタレース走査を行った場合
【００２１】
　図６は、コントローラ１６が走査線駆動回路１４に１ライン毎に走査線を間引いて走査させ、２フレームで１画像が構成される場合のタイミングチャートである。図７は、図６のように走査線が走査された場合の一表示例である。図７では、Ａという文字が表示される例を示している。この場合、例えば、ｎフレーム目は１ライン目、３ライン目、５ライン目、・・・の順に、
奇数ラインの走査線にパルスが送信され
パルスが送信され
ｎフレーム目の表示画面Ｆ１には、奇数ラインに画像が表示され、ｎ＋１フレーム目の表示画面Ｆ２には、偶数ラインに画像が表示され、表示画面Ｆ１および表示画面Ｆ２の２フレームで１画像を構成している
【図５】
【図６】
【図７】
（エ）  段落００３２
「【００３２】
　上記のように、
表示画像が動画か静止画かを判定し、動画の場合にはノンインタレース走査を行い、静止画の場合にはインタレース走査を行うことによって、動画を表示する際に画像がボケることがなくなり、画質を低下させることがない
静止画を表示する際には、情報処理装置から、全ての画像データを平面表示装置に送信する必要がなくなるため消費電力を抑えることができる
つまり、表示画像の画質を低下させることなく、低消費電力化を実現することが可能になる
　上記（ア）ないし（ウ）の記載によれば、引用文献５には、以下の発明（以下、「引用発明５」という。）が記載されていると認められる。
　
「　ノートパソコンなどの平面表示装置１００であって、
　表示部１１０にマトリクス状に配置された複数の画素ＰＸを備え、
　画素ＰＸの列毎に信号線ＤＬ１〜ＤＬｖが設けられ、各列の画素群にそれぞれ画像信号を供給しており、全ての信号線ＤＬ１〜ＤＬｖは信号線駆動回路１２に接続され、
　画素ＰＸの行毎に走査線ＳＬ１〜ＳＬｈが設けられ、行単位の画素群をそれぞれ電気的にオン/オフしており、全ての走査線ＳＬ１〜ＳＬｈは、走査線駆動回路１４に接続され、
　信号線駆動回路１２と走査線駆動回路１４とは、コントローラ１６によって制御され、
　コントローラ１６は、情報処理装置２００の表示画像制御部２２から表示画像データSi1およびインタレース走査ＯＮ/ＯＦＦ信号Si２を受信し、インタレース/ノンインタレース切替え手段としてのインタレース/ノンインタレース切替え部１６aでインタレース/ノンインタレース走査を切替えており、
　表示画像制御部２２では、表示画像データSiが動画か静止画かを判定し、その判定結果にしたがって、表示画像データSi１およびインタレース走査ＯＮ/ＯＦＦ信号Si２をコントローラ１６に送信し、表示画像が静止画の場合には、インタレース走査をＯＮとするハイ（Ｈ）レベルの信号が送信され、表示画像が動画の場合には、インタレース走査をＯＦＦとするロー（Ｌ）レベルの信号が送信され、
　ノンインタレース走査の場合は、各フレーム期間に１ライン目から順にhラインまで連続して走査線ＳＬ１〜ＳＬｈにパルスが送信され、１フレームで１画像を構成し、
　インタレース走査の場合は、ｎフレーム目の表示画面Ｆ１には、奇数ラインの走査線にパルスが送信されて画像が表示され、ｎ＋１フレーム目の表示画面Ｆ２には、偶数ラインの走査線にパルスが送信されて画像が表示され、表示画面Ｆ１および表示画面Ｆ２の２フレームで１画像を構成する
平面表示装置１００。」
　また、上記（ア）及び（エ）の記載によれば、引用文献５には、以下の技術事項が記載されていると認められる。
「ノートパソコンなどの平面表示装置において、表示画像が動画か静止画かを判定し、動画の場合にはノンインタレース走査を行い、静止画の場合にはインタレース走査を行うことによって、動画を表示する際に画像がボケることがなくなり、画質を低下させることがなく、また、静止画を表示する際には、情報処理装置から、全ての画像データを平面表示装置に送信する必要がなくなるため消費電力を抑えることができ、つまり、表示画像の画質を低下させることなく、低消費電力化を実現することが可能になる。」
ウ  引用文献２及び引用文献３
　原査定の拒絶の理由に引用された特開２０１１−１９７５８４号公報（以下、「引用文献２」という。）及び特開２０１０−３９０４６号公報（以下、「引用文献３」という。）には、それぞれ以下の記載がある。なお、下線は合議体が付したものである。
（ア）  引用文献２
「【００２３】
［液晶表示装置］
　図１は、本発明の実施形態に係る液晶
表示装置
「【００２８】
［画素］
　図３は画素について説明するための図であり、
第Ｎ列
に位置し且つ第Ｎ行
位置する画素
「【００６９】
[位置補正]
　また、データ線ＤＬは、データ線駆動部６から離れれば離れるほど、データ線上の抵抗値が増大する。さらに、基板とデータ線ＤＬとの間に発生する、寄生容量も増大する。そのため、データ線駆動部６からの距離が遠くなるほど、ＴＦＴ１２のドレイン電圧ＶＤの上昇するスピードが遅くなる。
【００７０】
　そこで、データ線駆動部６からの距離によって
補正
複数のＬＵＴを記憶しておく
垂直位置に対応するＬＵＴ
（イ）  引用文献３
「【背景技術】
【０００２】
　近年、ＣＲＴディスプレイ（Cathode  Ray  Tube  display）に替わる表示装置として、有機ＥＬディスプレイ（organic  ElectroLuminescence  display。または、ＯＬＥＤディスプレイ（Organic  Light  Emitting  Diode  display）ともよばれる。）や、ＦＥＤ（Field  Emission  Display。電界放出ディスプレイ）、ＬＣＤ（Liquid  Crystal  Display。液晶ディスプレイ）、ＰＤＰ（Plasma  Display  Panel。プラズマディスプレイ）など様々な表示装置が開発されている。
【０００３】
　上記のような様々な表示装置のうち、有機ＥＬディスプレイは、エレクトロルミネッセンス現象（ElectroLuminescence）を利用した自発光型の表示装置である。有機ＥＬディスプレイは、例えば、ＬＣＤのように別途の光源を必要とする表示装置と比較すると、動画特性、視野角特性、色再現性などが優れていることから、次世代の表示装置として特に注目されている。ここで、エレクトロルミネッセンス現象とは、物質（有機ＥＬ素子）の電子状態が、電界によって基底状態（ground  state）から励起状態（excited  state）へ変化し、不安定な励起状態から安定した基底状態へと戻るときに、差分のエネルギーが光として放出される現象である。
【０００４】
　上記のような
表示装置
行列状
に配置された複数の画素を備え
【０００５】
　上記のようにマトリクス方式で表示画面に映像を表示する表示装置では、表示画面の一部分において、映像信号が示す本来の輝度が維持されずに輝度が低下することがある。上記の現象は、例えば、走査線などの信号線（電極）における配線インピーダンス（電極インピーダンス）などの影響によって電圧降下が生じることによって起こりうる。」
「【００６１】
〔ＩＩ−１〕垂直方向の負荷の検出
　表示装置１０００は、入力された映像信号に基づいて垂直方向の負荷を、垂直方向の一ラインの画素ごとに検出する。例えば、図７に示すラインＶ１では、輝度が一様であるので、図１０（ａ）に示すように信号レベルが一定の負荷分布が得られる。また、例えば、図７に示すラインＶ２では、輝度が高い領域Ａ２が存在するので、図１１（ａ）に示すように領域Ａ２に対応する信号レベルがピークを示す負荷分布が得られる。
【００６２】
〔ＩＩ−２〕第２補正値の導出
　表示装置１０００は、上記〔ＩＩ−１〕の処理において検出された負荷に基づいて、第２補正値を画素ごとに導出する。
【００６３】
　例えば、図７に示すラインＶ１およびラインＶ２では、図１０（ｂ）および図１１（ｂ）に示すように、表示パネルの下部程輝度が高くなる。そこで、表示装置１０００は、輝度が高くなることによる影響を打ち消すための第２補正値を導出する。ここで、図１０（ｃ）および図１１（ｃ）は、表示装置１０００が、映像信号を信号処理にて補正するための補正係数を、第２補正値として導出する例を示している。
【００６４】
　より具体的には、表示装置１０００は、例えば、映像信号の信号レベルと第２補正値とが対応付けられたルックアップテーブルを水平方向の位置（画素に対応する位置）ごとに記憶する。そして、表示装置１０００は、上記各ルックアップテーブルを用いることによって、入力された映像信号に応じた（すなわち、上記〔ＩＩ−１〕の検出結果に応じた）
第２補正値を画素ごとに導出する
【００６５】
　表示装置１００は、例えば、上記〔ＩＩ−１〕の処理、および〔ＩＩ−２〕の処理によって、垂直方向の負荷に基づく第２補正値を画素ごとに導出することができる。」
　ここで、段落００６４の「ルックアップテーブルを水平方向の位置（画素に対応する位置）ごとに記憶する」との記載は、その前後の記載内容から、「
ルックアップテーブルを垂直方向の位置（画素に対応する位置）ごとに記憶する
　上記（ア）及び（イ）の記載によれば、本件出願の優先日前において以下の技術が周知であったといえる。
「行列状に配置された複数の画素を含む表示装置において、表示装置の垂直方向の位置に応じて、複数のルックアップテーブルを記憶しておき、これを用いて画像信号を補正する。」
エ  引用文献６
　原査定の拒絶の理由に引用された特開２００３−２２０５９号公報（以下、「引用文献６」という。）には、以下の記載がある。なお、下線は合議体が付したものである。
（ア）  段落００１１から段落００１６まで
「【００１１】さて、図２０に示したような駆動方法、すなわち、
ＧＣＫ信号（周期；１ＨＳ）の入る度に、液晶充電にかかるゲートラインを順次的に遷移（シフト）してゆく駆動方法
ノンインターレース駆動
【００１２】また、
ある垂直同期信号周期では奇数ゲートラインのみを充電（駆動）し、次の垂直同期信号周期では偶数ゲートラインのみを充電するような駆動方法
インターレース駆動
（イ）  段落００７８から段落００８０まで
「【００７６】以上のように、本
表示装置
１行おきのインターレース駆動を行う
【００７７】すなわち、ＴＭコントローラー４は、ゲートドライバー３を制御して、ゲートラインＧ１〜Ｇｍを、１行おきに、水平期間の２倍の期間だけＯＮとするように走査させるようになっている。さらに、ＴＭコントローラー４は、外部から入力される表示データ信号から、ＯＮとするゲートラインに応じた信号だけを抜き出す（間引く）ようになっている。そして、抜き出した信号を、水平期間の２倍の周期でデータドライバー２に出力するように設定されている。
【００７８】従って、本表示装置では、
ゲートドライバー３が、ノンインターレース駆動を行う場合（通常時）に比して２倍の期間、同一のゲートラインをＯＮとするようになる
そして、データドライバー２が、１つのゲートラインに応じた表示データ信号を、通常時の２倍の期間、データライン１１に与えることとなる
【００７９】これにより、本表示装置では、高精細な画像用の、入力周期（
水平期間
の短い表示データ信号を用いた画像表示を行う場合
でも
表示データ信号における入力信号周波数の増加を抑制できるため、この増加に伴うＥＭＩの悪化を防止することが可能となる
【００８０】また、本表示装置では、
液晶の充電期間（１つのゲートラインをＯＮとしている期間）を１水平期間の２倍に長くできる
従って、水平期間の短い高精細画像を表示する場合でも、液晶の充電時間を十分に確保することが可能となっている
　上記（ア）及び（イ）の記載によれば、引用文献６には、以下の技術事項が記載されていると認められる。
「表示装置において、１行おきのインターレース駆動（ある垂直同期信号周期では奇数ゲートラインのみを充電（駆動）し、次の垂直同期信号周期では偶数ゲートラインのみを充電するような駆動方法）を行う場合に、ゲートドライバー３が、ノンインターレース駆動（ＧＣＫ信号（周期；１ＨＳ）の入る度に、液晶充電にかかるゲートラインを順次的に遷移（シフト）してゆく駆動方法）を行う場合（通常時）に比して２倍の期間、同一のゲートラインをＯＮとするようにし、データドライバー２が、１つのゲートラインに応じた表示データ信号を、通常時の２倍の期間、データライン１１に与えるようにすることで、水平期間の短い表示データ信号を用いた画像表示を行う場合でも、表示データ信号における入力信号周波数の増加を抑制できるため、この増加に伴うＥＭＩの悪化を防止することができ、また、液晶の充電期間（１つのゲートラインをＯＮとしている期間）を１水平期間の２倍に長くできるため、液晶の充電時間を十分に確保することができる。」
（３）  本件補正発明１についての判断
ア  対比
　本件補正発明１と引用発明１とを対比すると、以下のとおりである。 
（ア）  引用発明１の「例えばパーソナルコンピュータのモニターやテレビジョン受像機など、各種の表示装置に適用できる液晶表示装置１」が、本件補正発明１の「表示装置」に相当する。 
（イ）  引用発明１における、「複数個（ｐ×ｑ個）の画素形成部」を含み、「これらの画素形成部はマトリクス状に配置されて画素アレイを構成し」ている「液晶駆動パネル２４」が、本件補正発明１における「複数の画素を含む表示板」に相当する。 
（ウ）  引用発明１における、「液晶駆動パネル２４」の「複数本（ｐ本）のデータ信号線としてのソースラインＳＬ１〜ＳＬｐ」に「データ信号Ｓ（１）〜Ｓ（ｐ）」を「それぞれ印加」する「ソースドライバ３」が、本件補正発明１における「前記表示板の複数のデータ線にデータ電圧を伝達するデータ駆動部」に相当する。
（エ）  引用発明１における、「液晶駆動パネル２４」の「複数本（ｑ本）の走査信号線としてのゲートラインＧＬ１〜ＧＬｑ」に「走査信号Ｇ（１）〜Ｇ（ｑ）」を「それぞれ印加」する「ゲートドライバ４」が、本件補正発明１における「前記表示板の複数のゲート線にゲート信号を伝達するゲート駆動部」に相当する。 
（オ）  引用発明１における、「ソースドライバ３、ゲートドライバ４および光源駆動回路７００を制御するための表示制御回路２」と「表示制御回路２から出力される画像信号ＤＡＴＡを補正する補正回路（データ処理装置）１０」とを合わせたものが、本件補正発明１における「前記データ駆動部及び前記ゲート駆動部を制御する信号制御部」に相当する。 
（カ）  引用発明１における、「補正回路１０」が備える「ＬＵＴ（ルックアップテーブル）（補正量記憶部）１２」は、「補正対象となる画素の表示画面内での位置に応じて複数設けられ」るものであるから、本件補正発明１における「前記表示板の互いに異なる領域にそれぞれ対応する複数のルックアップテーブル」に相当する。 
（キ）  引用発明１における、「特定のデータ信号線に対応する」「ｎ＋２番目の水平走査ラインに対応するデータ（ｄａｔａ［ｎ＋２］）」及び「ｎ番目の水平走査ラインに対応するデータ（ｄａｔａ［ｎ］）」が、本件補正発明１における「第１画素に対する第１入力画像信号」及び「前記第１画素が接続されている第１データ線のデータ電圧によって前記第１画素の充電前に充電される第２画素に対する入力画像信号」である「第２入力画像信号」にそれぞれ相当する。
　そして、引用発明１では、「補間演算部１３は、特定のデータ信号線に対応するｄａｔａ［ｎ］における画素データとｄａｔａ［ｎ＋２］における画素データとをバッファ１１から読み出し、ＬＵＴ１２を参照して補間演算を行うことによって、ｄａｔａ［ｎ＋２］における該当画素データに対する補正量を算出し」、「ＬＵＴ１２は、参照すべきデータとしてのｄａｔａ［ｎ］のデータの値と、補正対象のデータとしてのｄａｔａ［ｎ＋２］のデータの値との組み合わせに対応した補正量を格納する２次元メモリによって構成され」るから、「ＬＵＴ（ルックアップテーブル）（補正量記憶部）１２」は、「ｄａｔａ［ｎ＋２］における該当画素データに対する補正量」を格納し、当該「補正量」は、「参照すべきデータとしてのｄａｔａ［ｎ］のデータの値と、補正対象のデータとしてのｄａｔａ［ｎ＋２］のデータの値との組み合わせに対応した」ものとなっており、このことは、本件補正発明１における、「前記ルックアップテーブルは、第１画素に対する第１入力画像信号の補正値を保存し、前記補正値は、前記第１入力画像信号及び第２入力画像信号に依存する値であり」という事項に相当する。 
（ク）  引用発明１における、「補正回路１０」が備える「加算器１５」が、「補正量格納部１４から補正量を読み出し、また、バッファ１１から該補正量の算出に用いられたｄａｔａ［ｎ＋２］における画素データを読み出し、そして、読み出した画素データに対して、読み出した補正量を加算し、これを出力」するということが、本件補正発明１における、「前記信号制御部は、前記補正値を利用して前記第１入力画像信号を補償し」という事項に相当する。 
（ケ）  引用発明１において、「表示方式としては１水平走査ライン間隔の飛び越し走査方式を採用し、この場合、ゲートラインＧＬ１〜ＧＬｑが１水平走査ライン間隔で同じグループとなるように２つのグループに分かれ」るということが、本件補正発明１における、「前記複数の画素は、複数の画素行をそれぞれ含む複数の画素行グループに分かれ」るという事項に相当する。 
（コ）  引用発明１では、「ゲートラインＧＬ１〜ＧＬｑが１水平走査ライン間隔で同じグループとなるように２つのグループに分かれ、１フレーム期間に、奇数または偶数番目のゲートラインＧＬ１〜ＧＬｑを最上部から最下部にかけて順に選択した後に、偶数または奇数番目のゲートラインＧＬ１〜ＧＬｑを最上部から最下部にかけて順に選択することにな」っているから、「奇数または偶数番目のゲートラインＧＬ１〜ＧＬｑを最上部から最下部にかけて順に選択」する過程及びその後の「偶数または奇数番目のゲートラインＧＬ１〜ＧＬｑを最上部から最下部にかけて順に選択」する過程の間に、「液晶駆動パネル２４」が一つの画像を表示するようになっており、このことと、本件補正発明１における、「前記複数の画素行グループと同一の数の連続したフレームを含む１フレームセットの間に前記表示板は一つの静止画を表示」するということとは、「前記複数の画素行グループと同一の数の連続したフレームを含む１フレームセットの間に前記表示板は一つの画像を表示」するという点で共通する。
　また、引用発明１では、「奇数または偶数番目のゲートラインＧＬ１〜ＧＬｑを最上部から最下部にかけて順に選択」する過程においては、当該「奇数または偶数番目のゲートラインＧＬ１〜ＧＬｑ」に対応する画素が充電され、その後の「偶数または奇数番目のゲートラインＧＬ１〜ＧＬｑを最上部から最下部にかけて順に選択」する過程においては、当該「偶数または奇数番目のゲートラインＧＬ１〜ＧＬｑ」に対応する画素が充電されることが明らかであり、このことは、本件補正発明１における、「前記複数の画素行グループは、それぞれ前記フレームセットの対応する互いに異なる１フレームの間に前記データ電圧で充電され」るという事項に相当する。 
イ  一致点及び相違点
　上記アの対比の結果をまとめると、本件補正発明１と引用発明１とは、
「　複数の画素を含む表示板と、
　前記表示板の複数のデータ線にデータ電圧を伝達するデータ駆動部と、
　前記表示板の複数のゲート線にゲート信号を伝達するゲート駆動部と、
　前記データ駆動部及び前記ゲート駆動部を制御する信号制御部と、
　を含み、
　前記信号制御部は、前記表示板の互いに異なる領域にそれぞれ対応する複数のルックアップテーブルを含み、
　前記ルックアップテーブルは、第１画素に対する第１入力画像信号の補正値を保存し、前記補正値は、前記第１入力画像信号及び第２入力画像信号に依存する値であり、
　前記第２入力画像信号は、前記第１画素が接続されている第１データ線のデータ電圧によって前記第１画素の充電前に充電される第２画素に対する入力画像信号であり、
　前記信号制御部は、前記補正値を利用して前記第１入力画像信号を補償し、
　前記複数の画素は、複数の画素行をそれぞれ含む複数の画素行グループに分かれ、
　前記複数の画素行グループと同一の数の連続したフレームを含む１フレームセットの間に前記表示板は一つの画像を表示し、
　前記複数の画素行グループは、それぞれ前記フレームセットの対応する互いに異なる１フレームの間に前記データ電圧で充電される、
表示装置。」 
である点で一致し、以下の点で相違する。
（相違点１）
　「表示板の互いに異なる領域にそれぞれ対応する複数のルックアップテーブル」の「互いに異なる領域」が、本件補正発明１では、「互いに異なる画素行に対応」するとされているのに対して、引用発明１では、そのように特定されていない点。
（相違点２）
　本件補正発明１では、「複数の画素行グループと同一の数の連続したフレームを含む１フレームセットの間」に表示板が表示する「一つの画像」が、「一つの静止画」とされており、また、「前記静止画を表示する際に前記複数の画素を充電する第２充電時間は、動画を表示する際に前記複数の画素を充電する第１充電時間よりも長い」とされているのに対して、引用発明１では、「複数の画素行グループと同一の数の連続したフレームを含む１フレームセットの間」に表示板が表示する「一つの画像」が、「静止画」とは特定されておらず、また、「静止画を表示する際」と「動画を表示する際」の充電時間が異なるのかどうかも特定されていない点。
ウ  相違点についての判断
（ア）  相違点１について
　上記（２）のウで述べたように、「行列状に配置された複数の画素を含む表示装置において、表示装置の垂直方向の位置に応じて、複数のルックアップテーブルを記憶しておき、これを用いて画像信号を補正する」ことが、引用文献２及び引用文献３に開示され、本件出願の優先日前における周知の技術であって、同じく「行列状に配置された複数の画素を含む表示装置」である引用発明１の「液晶表示装置１」においてそのような周知の技術を適用し、「補正対象となる画素の表示画面内での位置に応じて複数設けられ」る「ＬＵＴ１２」を、補正対象となる画素の表示画面内での「垂直方向の」位置、つまり「画素行」に応じて複数設けられるものとすることは、当業者であれば容易に想到し得たことである。
（イ）  相違点２について
　引用文献１では、段落００５７（上記（２）のアの（イ）を参照。）において、「本発明は、順次走査方式および飛び越し走査方式のどちらにおいても適用可能である」と記載されており、「順次走査方式」を採用した場合の駆動のタイミングチャートが、段落００９７等で参照される図８に示されている。
【図８】
　この図８に示される、「順次走査方式」を採用した場合のタイミングチャートと、上記（２）のアの（オ）でも参照した図６に示される、「１水平走査ライン間隔の飛び越し走査方式」を採用した場合のタイミングチャートを比べると、いずれのタイミングチャートにおいても、データ信号（ｄａｔａ［ｉ］）が途切れることなく順次生成され、また、上記（２）のアの（オ）でも参照した段落００８８にも記載されるように、「ｄａｔａ［ｉ］が表示されるべき水平走査期間の開始タイミングよりも前となるタイミングからゲートオンパルスが立ち上がっている」ことが見て取れる。そして、このことは、段落００８８に記載されるように、「画素電極に対する充電期間が長くなる」ようにしているためであると理解できる。
　ところで、上記（２）のイで述べたように、引用文献５には、「ノートパソコンなどの平面表示装置において、表示画像が動画か静止画かを判定し、動画の場合にはノンインタレース走査を行い、静止画の場合にはインタレース走査を行うことによって、動画を表示する際に画像がボケることがなくなり、画質を低下させることがなく、また、静止画を表示する際には、情報処理装置から、全ての画像データを平面表示装置に送信する必要がなくなるため消費電力を抑えることができ、つまり、表示画像の画質を低下させることなく、低消費電力化を実現することが可能になる」という技術事項が記載されている。
　そして、引用発明１は「例えばパーソナルコンピュータのモニターやテレビジョン受像機など、各種の表示装置に適用できる液晶表示装置１」であって、「ノートパソコンなど」にも適用し得るものであり、「画像がボケることがなくな」るようにし、また、「消費電力を抑える」といった課題をも当然に有するものと認められることから、引用発明１において引用文献５に記載された上記技術事項を適用し、「表示方式としては１水平走査ライン間隔の飛び越し走査方式を採用し」ているところを、動画の場合には「ノンインタレース走査」、つまり上述の図８に示される「順次走査方式」を採用するようにして、「動画を表示する際に画像がボケることがなくなり、画質を低下させることがなく、また、静止画を表示する際には、情報処理装置から、全ての画像データを平面表示装置に送信する必要がなくなるため消費電力を抑えることができ」るようにすることは、当業者であれば容易に想到し得たことということができる。
　その結果、静止画の「１水平走査ライン間隔の飛び越し走査方式」の場合に「奇数または偶数番目のゲートラインＧＬ１〜ＧＬｑを最上部から最下部にかけて順に選択した後に、偶数または奇数番目のゲートラインＧＬ１〜ＧＬｑを最上部から最下部にかけて順に選択する」期間と同じ長さの期間で、動画の「順次走査方式」の場合には、「画像がボケることがなくな」るようにするために、全てのゲートラインを最上部から最下部にかけて順に選択する過程が２回行われ、つまり、静止画の「１水平走査ライン間隔の飛び越し走査方式」の場合には、動画の「順次走査方式」の場合と比べて、「ｄａｔａ［ｉ］が表示されるべき水平走査期間」が２倍の長さとなって、上述のように「画素電極に対する充電期間が長くなる」ようにするということも考慮された結果、静止画の場合には動画の場合よりも充電期間が長くなることが明らかといえる。
　なお、上記（２）のエで述べたように、引用文献６には、「表示装置において、１行おきのインターレース駆動（ある垂直同期信号周期では奇数ゲートラインのみを充電（駆動）し、次の垂直同期信号周期では偶数ゲートラインのみを充電するような駆動方法）を行う場合に、ゲートドライバー３が、ノンインターレース駆動（ＧＣＫ信号（周期；１ＨＳ）の入る度に、液晶充電にかかるゲートラインを順次的に遷移（シフト）してゆく駆動方法）を行う場合（通常時）に比して２倍の期間、同一のゲートラインをＯＮとするようにし、データドライバー２が、１つのゲートラインに応じた表示データ信号を、通常時の２倍の期間、データライン１１に与えるようにすることで、水平期間の短い表示データ信号を用いた画像表示を行う場合でも、表示データ信号における入力信号周波数の増加を抑制できるため、この増加に伴うＥＭＩの悪化を防止することができ、また、液晶の充電期間（１つのゲートラインをＯＮとしている期間）を１水平期間の２倍に長くできるため、液晶の充電時間を十分に確保することができる」という技術事項が記載されており、この技術事項を踏まえることによっても、引用発明１において引用文献５に記載された上記技術事項を適用した場合に、静止画の場合には動画の場合よりも充電期間が長くなることが明らかといえる。
　すなわち、引用発明１において引用文献５に記載された上記技術事項を適用した場合に、相違点２に係る本件補正発明１の構成を、引用発明１が備えるようになることは明らかである。
（ウ）  作用効果について
　相違点１及び相違点２を総合的に勘案しても、本件補正発明１の奏する作用効果は、引用発明１、引用文献２及び引用文献３に開示される周知の技術、引用文献１に記載された技術事項並びに引用文献５に記載された技術事項の奏する作用効果、若しくは、引用発明１、引用文献２及び引用文献３に開示される周知の技術、引用文献１に記載された技術事項、引用文献５に記載された技術事項並びに引用文献６に記載された技術事項の奏する作用効果から予測される範囲内のものにすぎず、格別顕著なものということはできない。
エ  本件補正発明１についての判断のむすび
　以上のとおりであるから、本件補正発明１は、引用発明１、引用文献２及び引用文献３に開示される周知の技術、引用文献１に記載された技術事項並びに引用文献５に記載された技術事項に基づき、若しくは、引用発明１、引用文献２及び引用文献３に開示される周知の技術、引用文献１に記載された技術事項、引用文献５に記載された技術事項並びに引用文献６に記載された技術事項に基づき、当業者が容易に発明をすることができたものであり、特許法第２９条第２項の規定により、特許出願の際独立して特許を受けることができないものである。
（３）  本件補正発明６についての判断
ア  対比
　本件補正発明６と引用発明５とを対比すると、以下のとおりである。 
（ア）  引用発明５の「ノートパソコンなどの平面表示装置１００」が、本件補正発明６の「表示装置」に相当する。 
（イ）  引用発明５における、「マトリクス状に配置された複数の画素ＰＸを備え」る「表示部１１０」が、本件補正発明６における「複数の画素を含む表示板」に相当する。 
（ウ）  引用発明５における、「画素ＰＸの列毎に信号線ＤＬ１〜ＤＬｖが設けられ、各列の画素群にそれぞれ画像信号を供給しており、全ての信号線ＤＬ１〜ＤＬｖは信号線駆動回路１２に接続され」るところの「信号線駆動回路１２」が、本件補正発明６における「前記表示板の複数のデータ線にデータ電圧を伝達するデータ駆動部」に相当する。 
（エ）  引用発明５における、「画素ＰＸの行毎に走査線ＳＬ１〜ＳＬｈが設けられ、行単位の画素群をそれぞれ電気的にオン/オフしており、全ての走査線ＳＬ１〜ＳＬｈは、走査線駆動回路１４に接続され」るところの「走査線駆動回路１４」が、本件補正発明６における「前記表示板の複数のゲート線にゲート信号を伝達するゲート駆動部」に相当する。 
（オ）  引用発明５における、「信号線駆動回路１２と走査線駆動回路１４と」を「制御」する「コントローラ１６」と「表示画像制御部２２」とを合わせたものが、本件補正発明６における「前記データ駆動部及び前記ゲート駆動部を制御する信号制御部」に相当する。 
（カ）  引用発明５では、「表示画像が静止画の場合には、インタレース走査をＯＮ」とし、「インタレース走査の場合は、ｎフレーム目の表示画面Ｆ１には、奇数ラインの走査線にパルスが送信されて画像が表示され、ｎ＋１フレーム目の表示画面Ｆ２には、偶数ラインの走査線にパルスが送信されて画像が表示され、表示画面Ｆ１および表示画面Ｆ２の２フレームで１画像を構成」している。
　ここで、「走査線」が「奇数ライン」と「偶数ライン」とに分かれるということが、本件補正発明６における、「前記複数の画素は、複数の画素行をそれぞれ含む複数の画素行グループに分かれ」るという事項に相当し、「奇数ラインの走査線にパルスが送信され」る「ｎフレーム目」と「偶数ラインの走査線にパルスが送信され」る「ｎ＋１フレーム目」との「２フレーム」で、「静止画」である「１画像を構成」しているということが、本件補正発明６における、「前記複数の画素行グループと同一の数の連続したフレームを含む１フレームセットの間に前記表示板は一つの静止画を表示」するという事項に相当する。 
　また、引用発明５では、「奇数ラインの走査線にパルスが送信され」る「ｎフレーム目」においては、当該「奇数ライン」に対応する画素が充電され、「偶数ラインの走査線にパルスが送信され」る「ｎ＋１フレーム目」においては、当該「偶数ライン」に対応する画素が充電されることが、明記はされていないが明らかといえ、このことは、本件補正発明６における、「前記複数の画素行グループは、それぞれ前記フレームセットの対応する互いに異なる１フレームの間に前記データ電圧で充電され」るという事項に相当する。 
イ  一致点及び相違点
　上記アの対比の結果をまとめると、本件補正発明６と引用発明５とは、
「　複数の画素を含む表示板と、
　前記表示板の複数のデータ線にデータ電圧を伝達するデータ駆動部と、
　前記表示板の複数のゲート線にゲート信号を伝達するゲート駆動部と、
　前記データ駆動部及び前記ゲート駆動部を制御する信号制御部と、
　を含み、
　前記複数の画素は、複数の画素行をそれぞれ含む複数の画素行グループに分かれ、
　前記複数の画素行グループと同一の数の連続したフレームを含む１フレームセットの間に前記表示板は一つの静止画を表示し、
　前記複数の画素行グループは、それぞれ前記フレームセットの対応する互いに異なる１フレームの間に前記データ電圧で充電される、
表示装置。」 
である点で一致し、以下の点で相違する。
（相違点１）
　本件補正発明６では、「前記信号制御部は、前記表示板の位置に依存する補正倍率を保存する複数のルックアップテーブルを含み、前記複数のルックアップテーブルは、互いに異なる画素行にそれぞれ対応し、前記データ駆動部は、前記信号制御部から出力画像信号、及び前記出力画像信号に対応する第１補正倍率を受信し、前記第１補正倍率を利用して前記出力画像信号を補償して、補償された出力画像信号を生成」するようになっているのに対して、引用発明５では、そのように特定されていない点。
（相違点２）
　本件補正発明６では、「前記静止画を表示する際に前記複数の画素を充電する第２充電時間は、動画を表示する際に前記複数の画素を充電する第１充電時間よりも長い」とされているのに対して、引用発明５では、そのように特定されていない点。
ウ  相違点についての判断
（ア）  相違点１について
　上記（２）のウで述べたように、「行列状に配置された複数の画素を含む表示装置において、表示装置の垂直方向の位置に応じて、複数のルックアップテーブルを記憶しておき、これを用いて画像信号を補正する」ことが、引用文献２及び引用文献３に開示され、本件出願の優先日前において周知の技術となっており、同じく「行列状に配置された複数の画素を含む表示装置」である引用発明６の「平面表示装置１００」においてそのような周知の技術を適用し、「表示装置の垂直方向の位置」、つまり「画素行」に応じて、「複数のルックアップテーブルを記憶しておき、これを用いて画像信号を補正する」ようにすることは、当業者であれば容易に想到し得たことといえる。
　その際に、「ルックアップテーブル」に保存する「補正」のための値を「補正倍率」とし、当該「補正倍率」によって「補正」を行うようにすることや、「補正」を「信号線駆動回路１２」（本件補正発明６における「データ駆動部」に相当。）において行うようにすることは、当業者が適宜採用し得る単なる設計的事項にすぎない。
（イ）  相違点２について
　上記（２）のエで述べたように、引用文献６には、「表示装置において、１行おきのインターレース駆動（ある垂直同期信号周期では奇数ゲートラインのみを充電（駆動）し、次の垂直同期信号周期では偶数ゲートラインのみを充電するような駆動方法）を行う場合に、ゲートドライバー３が、ノンインターレース駆動（ＧＣＫ信号（周期；１ＨＳ）の入る度に、液晶充電にかかるゲートラインを順次的に遷移（シフト）してゆく駆動方法）を行う場合（通常時）に比して２倍の期間、同一のゲートラインをＯＮとするようにし、データドライバー２が、１つのゲートラインに応じた表示データ信号を、通常時の２倍の期間、データライン１１に与えるようにすることで、水平期間の短い表示データ信号を用いた画像表示を行う場合でも、表示データ信号における入力信号周波数の増加を抑制できるため、この増加に伴うＥＭＩの悪化を防止することができ、また、液晶の充電期間（１つのゲートラインをＯＮとしている期間）を１水平期間の２倍に長くできるため、液晶の充電時間を十分に確保することができる」という技術事項が記載されている。
　そして、引用発明５の「平面表示装置１００」は「液晶」を有するものであるとは特定されていないものの、「ノートパソコンなどの平面表示装置１００」において「液晶」が用いられることが、例示するまでもなく広く一般に知られているということに鑑みれば、引用発明５の「平面表示装置１００」も、「液晶」の表示装置として、「ＥＭＩの悪化を防止する」、「液晶の充電時間を十分に確保する」といった課題を当然に有し得るものといえ、引用発明５においてそのような課題を解決するために引用文献６に記載された上記技術事項を適用し、「表示画像が静止画の場合」で「インタレース走査の場合」には、「表示画像が動画の場合」で「ノンインタレース走査の場合」に比して、「２倍の期間、同一のゲートラインをＯＮとするようにし」、「表示データ信号を」「２倍の期間、データライン１１に与えるように」して、その結果、「表示画像が静止画の場合」に「表示画像が動画の場合」よりも充電時間を長くすることは、当業者が容易に想到し得たことということができる。
（ウ）  作用効果について
　相違点１及び相違点２を総合的に勘案しても、本件補正発明６の奏する作用効果は、引用発明５、引用文献２及び引用文献３に開示される周知の技術並びに引用文献６に記載された技術事項の奏する作用効果から予測される範囲内のものにすぎず、格別顕著なものということはできない。
エ  本件補正発明６についての判断のむすび
　以上のとおりであるから、本件補正発明６は、引用発明５、引用文献２及び引用文献３に開示される周知の技術並びに引用文献６に記載された技術事項に基づき、当業者が容易に発明をすることができたものであり、特許法第２９条第２項の規定により、特許出願の際独立して特許を受けることができないものである。
３  本件補正の却下の決定のむすび
　以上のとおりであるから、本件補正は、特許法第１７条の２第６項において準用する同法第１２６条第７項の規定に違反するものである。
　したがって、本件補正は、同法第１５９条第１項の規定において読み替えて準用する同法第５３条第１項の規定により却下すべきものである。
　よって、上記［補正の却下の決定の結論］のとおり決定する。
第３  本件発明についての判断
１  本件発明
　上記第２のとおり、本件補正は却下されたので、本件出願の請求項１ないし請求項１５に係る発明は、本件出願の本件補正前の特許請求の範囲の請求項１ないし請求項１５に記載された事項により特定されるとおりのものである。
　特に、本件出願の請求項１１に係る発明（以下、「本件発明」という。）は、以下のとおりのものである。
「【請求項１１】
　複数の画素を含む表示板と、
　前記表示板にデータ信号を伝達するデータ駆動部と、
　前記表示板にゲート信号を伝達するゲート駆動部と、
　前記データ駆動部及び前記ゲート駆動部を制御する信号制御部と、
　を含み、
　前記複数の画素は、複数の画素行をそれぞれ含む複数の画素行グループに分かれ、
　前記複数の画素行グループと同一の数の連続したフレームを含む１フレームセットの間に前記表示板は一つの静止画を表示し、
　前記複数の画素行グループは、それぞれ前記フレームセットの対応する互いに異なる１フレームの間に前記データ信号の印加を受けて充電され、
　前記表示板が前記静止画を表示する間に前記表示板に入力される前記ゲート信号のゲートオンパルスの第２の幅は、前記表示板が動画を表示する間に前記表示板に入力される前記ゲート信号のゲートオンパルスの第１の幅より大きい、表示装置。」
２  原査定における拒絶理由の概要
　この出願の請求項１１ないし請求項１４に係る発明は、以下の引用文献５、引用文献１、引用文献２及び引用文献６に記載された発明に基いて、当業者が容易に発明をすることができたものであるから、特許法第２９条第２項の規定により特許を受けることができない。
　　引用文献５．特開２００６−６４９６４号公報
　　引用文献１．国際公開第２００９／０６０６５６号
　　引用文献２．特開２０１１−１９７５８４号公報
　　引用文献６．特開２００３−２２０５９号公報
３  引用文献に記載された発明等
　引用文献５に記載された発明（引用発明５）は、上記第２の２（２）のイに記載したとおりである。
４  対比・判断
（１）  対比
　本件発明と引用発明５とを対比すると、以下のとおりである。 
（ア）  引用発明５の「ノートパソコンなどの平面表示装置１００」が、本件発明の「表示装置」に相当する。 
（イ）  引用発明５における、「マトリクス状に配置された複数の画素ＰＸを備え」る「表示部１１０」が、本件発明における「複数の画素を含む表示板」に相当する。 
（ウ）  引用発明５における、「画素ＰＸの列毎に信号線ＤＬ１〜ＤＬｖが設けられ、各列の画素群にそれぞれ画像信号を供給しており、全ての信号線ＤＬ１〜ＤＬｖは信号線駆動回路１２に接続され」るところの「信号線駆動回路１２」が、本件発明における「前記表示板にデータ信号を伝達するデータ駆動部」に相当する。 
（エ）  引用発明５における、「画素ＰＸの行毎に走査線ＳＬ１〜ＳＬｈが設けられ、行単位の画素群をそれぞれ電気的にオン/オフしており、全ての走査線ＳＬ１〜ＳＬｈは、走査線駆動回路１４に接続され」るところの「走査線駆動回路１４」が、本件発明における「前記表示板にゲート信号を伝達するゲート駆動部」に相当する。 
（オ）  引用発明５における、「信号線駆動回路１２と走査線駆動回路１４と」を「制御」する「コントローラ１６」と「表示画像制御部２２」とを合わせたものが、本件発明における「前記データ駆動部及び前記ゲート駆動部を制御する信号制御部」に相当する。 
（カ）  引用発明５では、「表示画像が静止画の場合には、インタレース走査をＯＮ」とし、「インタレース走査の場合は、ｎフレーム目の表示画面Ｆ１には、奇数ラインの走査線にパルスが送信されて画像が表示され、ｎ＋１フレーム目の表示画面Ｆ２には、偶数ラインの走査線にパルスが送信されて画像が表示され、表示画面Ｆ１および表示画面Ｆ２の２フレームで１画像を構成」している。
　ここで、「走査線」が「奇数ライン」と「偶数ライン」とに分かれるということが、本件発明における、「前記複数の画素は、複数の画素行をそれぞれ含む複数の画素行グループに分かれ」るという事項に相当し、「奇数ラインの走査線にパルスが送信され」る「ｎフレーム目」と「偶数ラインの走査線にパルスが送信され」る「ｎ＋１フレーム目」との「２フレーム」で、「静止画」である「１画像を構成」しているということが、本件発明における、「前記複数の画素行グループと同一の数の連続したフレームを含む１フレームセットの間に前記表示板は一つの静止画を表示」するという事項に相当する。 
　また、引用発明５では、「奇数ラインの走査線にパルスが送信され」る「ｎフレーム目」においては、当該「奇数ライン」に対応する画素が充電され、「偶数ラインの走査線にパルスが送信され」る「ｎ＋１フレーム目」においては、当該「偶数ライン」に対応する画素が充電されることが、明記はされていないが明らかといえ、このことは、本件発明における、「前記複数の画素行グループは、それぞれ前記フレームセットの対応する互いに異なる１フレームの間に前記データ信号の印加を受けて充電され」るという事項に相当する。 
（２） 一致点及び相違点
　上記アの対比の結果をまとめると、本件発明と引用発明５とは、
「　複数の画素を含む表示板と、
　前記表示板にデータ信号を伝達するデータ駆動部と、
　前記表示板にゲート信号を伝達するゲート駆動部と、
　前記データ駆動部及び前記ゲート駆動部を制御する信号制御部と、
　を含み、
　前記複数の画素は、複数の画素行をそれぞれ含む複数の画素行グループに分かれ、
　前記複数の画素行グループと同一の数の連続したフレームを含む１フレームセットの間に前記表示板は一つの静止画を表示し、
　前記複数の画素行グループは、それぞれ前記フレームセットの対応する互いに異なる１フレームの間に前記データ信号の印加を受けて充電される、
表示装置。」 
である点で一致し、以下の点で相違する。
（相違点）
　本件発明では、「前記表示板が前記静止画を表示する間に前記表示板に入力される前記ゲート信号のゲートオンパルスの第２の幅は、前記表示板が動画を表示する間に前記表示板に入力される前記ゲート信号のゲートオンパルスの第１の幅より大きい」とされているのに対して、引用発明５では、そのように特定されていない点。
（３） 相違点についての判断
　上記第２の２（２）のエで述べたように、引用文献６には、「表示装置において、１行おきのインターレース駆動（ある垂直同期信号周期では奇数ゲートラインのみを充電（駆動）し、次の垂直同期信号周期では偶数ゲートラインのみを充電するような駆動方法）を行う場合に、ゲートドライバー３が、ノンインターレース駆動（ＧＣＫ信号（周期；１ＨＳ）の入る度に、液晶充電にかかるゲートラインを順次的に遷移（シフト）してゆく駆動方法）を行う場合（通常時）に比して２倍の期間、同一のゲートラインをＯＮとするようにし、データドライバー２が、１つのゲートラインに応じた表示データ信号を、通常時の２倍の期間、データライン１１に与えるようにすることで、水平期間の短い表示データ信号を用いた画像表示を行う場合でも、表示データ信号における入力信号周波数の増加を抑制できるため、この増加に伴うＥＭＩの悪化を防止することができ、また、液晶の充電期間（１つのゲートラインをＯＮとしている期間）を１水平期間の２倍に長くできるため、液晶の充電時間を十分に確保することができる」という技術事項が記載されている。
　そして、引用発明５の「平面表示装置１００」は「液晶」を有するものであるとは特定されていないものの、「ノートパソコンなどの平面表示装置１００」において「液晶」が用いられることが、例示するまでもなく広く一般に知られているということに鑑みれば、引用発明５の「平面表示装置１００」も、「液晶」の表示装置として、「ＥＭＩの悪化を防止する」、「液晶の充電時間を十分に確保する」といった課題を当然に有し得るものといえ、引用発明５においてそのような課題を解決するために引用文献６に記載された上記技術事項を適用し、「表示画像が静止画の場合」で「インタレース走査の場合」には、「表示画像が動画の場合」で「ノンインタレース走査の場合」に比して、「２倍の期間、同一のゲートラインをＯＮとするように」すること、すなわち、「表示画像が静止画の場合」のゲートオンパルスの幅を、「表示画像が動画の場合」のゲートオンパルスの幅よりも大きくすることは、当業者が容易に想到し得たことということができる。
第４  むすび
　本件発明は、引用発明５及び引用文献６に記載された技術事項に基づき、当業者が容易に発明をすることができたものであり、特許法第２９条第２項の規定により特許を受けることができない。
　したがって、他の請求項に係る発明について検討するまでもなく、本件出願は拒絶されるべきものである。
　よって、結論のとおり審決する。